(57)【要約】【課題】着呼した電話機の身近に転送先がある場合に、受信した通話を簡易に転送する。【解決手段】本発明は、電話機のハンドセットに加速度センサを具備し、外部から着呼した通話を転送する際に、転送元の利用者と転送先の利用者が転送の意志を確認し合った後に、該転送先の利用者により転送先の電話機がオフフックされた後に、該転送元の利用者によってハンドセットを振ることにより、加速度センサによる加速度が所定の値を超えた場合に、オフフックされた転送先の電話機に対して通話を転送する。または、ハンドセットのタッチセンサを具備し、転送元及び転送先のハンドセットを接触させることにより、タッチセンサが接触を検知して、通話を転送する。【選択図】図１
2009284348.tif 000002
【特許請求の範囲】
【請求項１】
居室内における電話の着呼を転送する電話転送方法であって、
電話機のハンドセットに加速度センサを具備し、
外部から着呼した通話を転送する際に、転送元の利用者と転送先の利用者が転送の意志を確認し合った後に、該転送先の利用者により転送先の電話機がオフフックされた後に、該転送元の利用者がハンドセットを振ることにより、前記加速度センサによる加速度が所定の値を超えた場合に、オフフックされた転送先の電話機に対して通話を転送する
ことを特徴とする電話転送方法。
【請求項２】
居室内における電話の着呼を転送する電話転送方法であって、
電話機のハンドセットにタッチセンサを具備し、
外部から着呼した通話を転送する際に、転送元の利用者と転送先の利用者が転送の意志を確認し合った後に、該転送先電話機と該転送元電話機とを互いに接触させることにより、前記タッチセンサが接触したことを感知すると、オフフックされた転送先の電話機に対して通話を転送する
ことを特徴とする電話転送方法。
【請求項３】
居室内における電話の着呼を転送する転送機能付電話機であって、
オフフックされた転送先の電話機に対して転送指示を行う転送制御部と、
電話機のハンドセットに設けられた加速度センサと、を有し、
前記加速度センサは、
外部から着呼した通話を転送する際に、転送元の利用者と転送先の利用者が転送の意志を確認し合い、該転送先の利用者により転送先の電話機がオフフックされた後に、該転送元の利用者がハンドセットを振ることにより、前記加速度センサによる加速度が所定の値を超えた場合に、前記転送制御部に対して加速度の値を出力し、
前記転送制御部は、
前記加速度センサからの前記加速度を取得して、前記転送先の電話機に通話を転送する
ことを特徴とする転送機能付電話機。
【請求項４】
居室内における電話の着呼を転送する転送機能付電話機であって、
オフフックされた転送先の電話機に対して転送指示を行う転送制御部と、
電話機のハンドセットに装着されたタッチセンサと、を有し、
前記タッチセンサは、
外部から着呼した通話を転送する際に、転送元の利用者と転送先の利用者が転送の意志を確認し合った後に、該転送先の利用者により転送先の電話機がオフフックされた後に、該転送元及び該転送先のハンドセットを接触させることにより、接触したことを検知すると、前記転送制御部に対して検知信号を出力し、
前記転送制御部は、
前記タッチセンサからの前記検知信号を取得して、前記転送先の電話機に通話を転送する
ことを特徴とする転送機能付電話機。
【発明の詳細な説明】
【技術分野】
【０００１】
本発明は、電話転送方法及び転送機能付電話機に係り、特に、電話を受けた者が他者に電話を受けさせるために転送を行う電話転送方法及び転送機能付電話機に関する。
【背景技術】
【０００２】
受信した電話を転送する場合、転送先が離れている場合は、転送機能付きの電話機の転送ボタンを押下し、転送先電話番号を入力することで転送する（例えば、非特許文献１参照）。
【０００３】
また、転送先が受信した電話の近傍である場合は、転送先の者を口頭で呼び、最初に受信した電話機のハンドセットのところまで来てもらい当該ハンドセットを用いて通話してもらう方法がとられている。
【０００４】
また、ハンドセットがコードレスである場合は、当該ハンドセットを転送先の者に手渡し、直接通話を行ってもらう等の方法がある。
【０００５】
従来の転送方法の例を図８、図９に示す。
【０００６】
ステップ１０）  転送指示；
電話機の転送ボタンを押す、または、パーク保留ボタンを押すなどによって、電話システムに転送の意図を示す。
【０００７】
ステップ１１）  転送先指示；
転送先電話番号入力や口頭による転送通知などによって、転送する先を表明する。
【０００８】
ステップ１２）  転送先意志表示；
転送先でハンドセットをオフフックすることや転送先でパーク保留ボタンを押下することなど、転送先の人が転送を受けることの許諾の意思表示をする。ここで、転送先は転送を拒否することもできるが、この場合、上記のステップ１０やステップ１１の転送元の手順は無駄になる。
【０００９】
ステップ１３）転送元終了処理；
転送先が通話状態に入ったことを確認して転送元のハンドセットをオンフックするなど、転送元で行う終端の操作を行う。
【非特許文献１】Netcommunity SYSTEM「取扱説明書ダイジェストＮＴＴ」2004年５月
【発明の開示】
【発明が解決しようとする課題】
【００１０】
しかしながら、転送機能付の電話機を用いて転送ボタンを押下して、転送先電話番号を入力することは、転送先が近傍の電話である場合は、わざわざそれらの操作を行うことは面倒である。
【００１１】
また、ハンドセットを転送先の人に渡して話してもらう方法では、当該ハンドセットを返却してもらう必要があり、それまでの間は転送元の利用者が使用できないという問題がある。
【００１２】
また、電話機は通常パーソナルな利用が目されており（ハンドセットがコードレスの場合はとりわけ）、これを他人に使用させること、もしくは、他人のものを使用することは生理的に嫌悪感を持つ利用者もいる。
【００１３】
さらに、上記のステップ１２において、転送先の人が転送を受けることの許諾意思を示す際に、転送先の人が転送を拒否した場合、上記のステップ１０，１１の転送元の手順は無駄になる。
【００１４】
本発明は、上記の点に鑑みなされたもので、身近に転送先がある場合に受信した通話を簡易に転送することが可能な電話転送方法及び転送機能付電話機を提供することを目的とする。
【課題を解決するための手段】
【００１５】
図１は、本発明の原理を説明するための図である。
【００１６】
本発明（請求項１）は、居室内における電話の着呼を転送する電話転送方法であって、
電話機のハンドセットに加速度センサを具備し、
外部から着呼した通話を転送する際に、転送元の利用者と転送先の利用者が転送の意志を確認し合った後に、該転送先の利用者により転送先の電話機がオフフックされた後に、該転送元の利用者がハンドセットを振ることにより、加速度センサによる加速度が所定の値を超えた場合に（ステップ１、ステップ２，Ｙｅｓ）、オフフックされた転送先の電話機に対して通話を転送する（ステップ３）。
【００１７】
本発明（請求項２）は、居室内における電話の着呼を転送する電話転送方法であって、
電話機のハンドセットにタッチセンサを具備し、
外部から着呼した通話を転送する際に、転送元の利用者と転送先の利用者が転送の意志を確認し合った後に、該転送先電話機と該転送元電話機とを互いに接触させることにより、タッチセンサが接触したことを感知すると、オフフックされた転送先の電話機に対して通話を転送する。
【００１８】
図２は、本発明の原理構成図である。
【００１９】
本発明（請求項３）は、居室内における電話の着呼を転送する転送機能付電話機であって、
オフフックされた転送先の電話機に対して転送指示を行う転送制御部１２０と、
電話機のハンドセットに設けられた加速度センサ１１１と、を有し、
加速度センサ１１１は、
外部から着呼した通話を転送する際に、転送元の利用者と転送先の利用者が転送の意志を確認し合った後に、該転送先の利用者により転送先の電話機がオフフックされた後に、該転送元の利用者がハンドセットを振ることにより、加速度センサ１１１による加速度が所定の値を超えた場合に、転送制御部１２０に対して加速度の値を出力し、
転送制御部１２０は、
加速度センサ１１１からの加速度を取得して、転送先の電話機に通話の転送を行う。
【００２０】
本発明（請求項４）は、居室内における電話の着呼を転送する転送機能付電話機であって、
オフフックされた転送先の電話機に対して転送指示を行う転送制御部と、
電話機のハンドセットに装着されたタッチセンサと、を有し、
タッチセンサは、
外部から着呼した通話を転送する際に、転送元の利用者と転送先の利用者が転送の意志を確認し合った後に、該転送先の利用者により転送先の電話機がオフフックされた後に、該転送元及び該転送先のハンドセットを接触させることにより、接触したことを検知すると、転送制御部に対して検知信号を出力し、
転送制御部は、
タッチセンサからの検知信号を取得して、転送先の電話機に通話を転送する。
【発明の効果】
【００２１】
上記のように、本発明によれば、受話器やコードレスのハンドセットを振る、または、軽く接触させること、もしくは、それに準ずる行為を行うことによって、身近に転送先がある場合に簡易に転送できる。転送先の利用者はハンドセットを転送前に把持する必要があるが、これは転送を受ける場合にはいずれにしても必要な行為であり、把持することによって転送を受けることの意思表示にも繋がるため、誤転送防止、転送の不達防止（転送しようと思って転送操作をした相手先が転送を許諾する意思を持たずに結局操作が無駄になることの防止）にも役立つ。
【発明を実施するための最良の形態】
【００２２】
以下、図面と共に本発明の実施の形態を説明する。
【００２３】
［第１の実施の形態］
図３は、本発明の第１の実施の形態における電話機の構成を示す。
【００２４】
同図に示す電話機１００は、ハンドセット１１０、転送制御部１２０、送受信部１３０から構成され、ハンドセット１１０は加速度センサ１１１、スピーカ１１２、受話器１１３から構成される。加速度センサ１１１は、ハンドセット１１０自体を転送先に向けて振ることにより、図４に示すように反応する。
【００２５】
図４の横軸は時間軸であり、縦軸はある方向で見た加速度の変化を示している。ここで「ある方向」とは、特定の向きを意味するものではなく、ハンドセット１１０に内蔵した加速度センサ１１１が、例えば、ハンドセット１１０の右横方向を正の向きにするといった設定もよい。この場合、加速度が負の向きとは、ハンドセット１１０の左横の方向になる。
【００２６】
ｔ１の時刻に加速度の極大値ａ１＞０を記録し（この時点の時刻ｔ１を相対時刻０としてもよい）、その次に現われる、加速度が極小値ａ２＜０の時刻をｔ２とする。同様に、ｔ２の次に現われる、加速度が極大値ａ３＞０の時刻をｔ３とする。このとき、ある一定の時間間隔△Ｔ＞０の元で、
ｔ３−ｔ１＜  △Ｔ                  …（１）
であり、連続する２回の加速度の変化、
ａ１２＝ａ１−ａ２                  …（２）
ａ２３＝ａ２−ａ３                  …（３）
において、ある一定以上の大きさ△Ａの元に、
│ａ１２−ａ２３│＞△Ａ            …（４）
ａ１２／ａ２３＜０              …（５）
（なお、上記の式（５）は連続する加速度変化の向きが逆方向であることを示す）
であるとき、転送指示があったと見做す。転送制御部１２０が加速度センサ１１１から加速度の値が出力されると、当該加速度の値がある一定の大きさを超えたとき、主装置（交換機）を介して転送指示を送出する。このとき、転送先の電話機はオフフックされているものとする。
【００２７】
これにより、主装置はオフフックされている転送先に転送し、通話を開始させる。
【００２８】
図５は、本発明の第１の実施の形態における転送手順のフローチャートである。
【００２９】
ステップ１０１）  転送元意思通知；
転送元の利用者が口頭通知などの簡易な方法で、転送先となる利用者に対して転送の意思を通知する。
【００３０】
ステップ１０２）  転送先意志表示；
転送先の利用者がオフフックするなどして、転送を受ける意思を表明する。ここで、転送先では、転送を許諾しないことも選択できるが、この場合ステップ１０１の手順は無駄になる。しかし、従来の方法と比較すると、不達に陥った場合でも転送先へ与える負担は少ない。
【００３１】
ステップ１０３）  転送指示；
転送元の利用者がハンドセットを転送先に向けて振ることにより、加速度センサ１１１が反応することにより、転送の指示を電話機１００の転送制御部１２０に与える。これは、従来の方法におけるステップ１１の転送先指示と同等のものであるが、既に転送先が転送を受ける意思表示をしている後であることからストレスが少ない。
【００３２】
ステップ１０４）  転送元終了処理；
転送先が通話状態に入ったことを確認して、転送元のハンドセット１１０をオンフックするなど、転送元で行う終端の操作である。ここは従来の方法と同様である。
【００３３】
図６は、本発明の第１の実施の形態における動作のシーケンスチャートである。同図と前述の図９を比較して従来技術との違いを説明する。
【００３４】
図９と図５を比較すると、図９の転送元から主装置（交換機）への転送先指示（ステップ１１）、及び、転送先から主装置への応諾通知、主装置から転送元への応諾通知のシーケンスが削減される。
【００３５】
なお、偶然に複数の受話器で加速度が検出される場合を想定して、加速度検出パターンは単純なものにするのではなく、連続する（加速−減速−加速のパターンが検出されたとき）を転送の指示とすることで意図と異なって指示を与えることを防止する。電話機システムは転送指示を認識した後、オフフックされてはいるが、以後の手順（発呼先電話番号の押下等）を行っていない電話を転送先とみなして転送処理を行う。
【００３６】
同時に別のところで、加速度を検出した受話器があった場合は誤転送につながるが、そのような場合は多台数の受話器が存在するオフィスなどであり、本発明の適応外である。
［第２の実施の形態］
前述の第１の実施の形態では、転送を行う手段として加速度センサを用いたが、本実施の形態ではタッチセンサを用いる例を説明する。
【００３７】
図７は、本発明の第２の実施の形態における電話機の構成を示す。同図に示す電話機はワイヤレスハンドセットの例であり、当該ハンドセット２００の背面部にタッチセンサ２１０を設けた例である。同図では、ハンドセット２００の背面部に設けているが、タッチセンサの付設位置はこれに限定されるものではない。
【００３８】
転送元の利用者は、前述の第１の実施の形態と同様に、口頭で転送先の利用者に対して転送する旨を通知し、転送先の利用者は、転送通話を希望するとハンドセットを持ち上げるなどしてオフフック状態とする。この上で、転送元及び転送先の利用者が互いにハンドセット２００のタッチセンサ２１０を接触させることにより、転送指示を行う。ハンドセット２００を互いに接触させることにより、タッチセンサ２１０が双方のハンドセット２００のタッチセンサ２１０が接触したことを検知し、転送機能に対して通知することにより、前述の第１の実施の形態と同様に転送通話が可能となる。
【００３９】
本実施の形態における転送手順は、前述の図５の処理と同様であるが、ステップ１０３において転送元のハンドセットを振るという動作の代わりに、転送元及び転送先のハンドセットを接触させる以外は同様である。
【００４０】
上記のタッチセンサ２１０は、接触されたことが検知できるセンサであればよく、赤外線イメージセンサ、抵抗膜式タッチセンサ、静電容量式タッチセンサ等が適用できる。
【００４１】
なお、本発明は、上記の実施の形態に限定されることなく、特許請求の範囲内において種々変更・応用が可能である。
【産業上の利用可能性】
【００４２】
本発明は、居室内において、転送元の電話機と転送先の電話機とがすぐ近くにある環境に適用可能である。
【図面の簡単な説明】
【００４３】
【図１】本発明の原理を説明するための図である。
【図２】本発明の原理構成図である。
【図３】本発明の第１の実施の形態における電話機の構成図である。
【図４】本発明の第１の実施の形態における加速度センサの加速度の変化を示す図である。
【図５】本発明の第１の実施の形態における転送手順のフローチャートである。
【図６】本発明の第１の実施の形態における転送シーケンスである。
【図７】本発明の第２の実施の形態における電話機の構成図である。
【図８】従来の処理手順である。
【図９】従来の転送処理シーケンスである。
【符号の説明】
【００４４】
１００  電話機
１１１  加速度センサ
１１２  スピーカ
１１３  受話器
１２０  転送制御部
１３０  送受信部
１１０、２００  ハンドセット
２１０  タッチセンサ
【図１】
2009284348.tif 000003
【図２】
2009284348.tif 000004
【図３】
2009284348.tif 000005
【図４】
2009284348.tif 000006
【図５】
2009284348.tif 000007
【図６】
2009284348.tif 000008
【図７】
2009284348.tif 000009
【図８】
2009284348.tif 000010
【図９】
2009284348.tif 000011